(57)【要約】【課題】液体試料を安定して測定することができる検鏡プレートを提供する。【解決手段】検鏡プレート１は、貯留部Ｒの底面Ｂ１を規定する部分を含むスライドガラス部２１と、スライドガラス部２１に対向配置され、貯留部Ｒの天面Ｕ１を規定する部分を含むカバーガラス部１１と、貯留部Ｒの周囲の少なくとも一部に位置し、スライドガラス部２１とカバーガラス部１１とが対向配置された状態を維持する支持部２７と、貯留部Ｒに液体試料を供給するための窓部と、貯留部Ｒの内部に位置し、スライドガラス部２１およびカバーガラス部１１の少なくとも一方が撓み変形することで底面Ｂ１を規定する部分のスライドガラス部２１と天面Ｕ１を規定する部分のカバーガラス部１１との間の距離が減少することを抑制するスペーサ部１５とを備える。【選択図】図２
2018185525.tif 000002
【特許請求の範囲】
【請求項１】
顕微鏡を用いた液体試料の検査に使用され、液体試料を充填するための貯留部を内部に含む検鏡プレートであって、
前記貯留部の底面を規定する部分を含むスライドガラス部と、
前記スライドガラス部に対向配置され、前記貯留部の天面を規定する部分を含むカバーガラス部と、
前記貯留部の周囲の少なくとも一部に位置し、前記スライドガラス部と前記カバーガラス部とが対向配置された状態を維持する支持部と、
前記貯留部に液体試料を供給するための窓部と、
前記貯留部の内部に位置し、前記スライドガラス部および前記カバーガラス部の少なくとも一方が撓み変形することで前記底面を規定する部分の前記スライドガラス部と前記天面を規定する部分の前記カバーガラス部との間の距離が減少することを抑制するスペーサ部とを備え、
前記スペーサ部が、前記貯留部の内部において互いに離間して複数本（但し、３本以下である場合を除く）設けられており、
前記支持部が、前記カバーガラス部が前記スライドガラス部に対向配置された状態において前記貯留部が間に位置するように互いに離間し、かつ、前記スライドガラス部に向けて突出するように前記カバーガラス部に設けられた一対の係合突起部を含み、
前記スライドガラス部は、前記一対の係合突起部に係合可能に設けられた一対の係合溝部を含み、
前記カバーガラス部は、前記一対の係合突起部が前記一対の係合溝部に係合することにより、前記スライドガラス部に固定され、
前記支持部は、前記貯留部の周囲を取り囲む周壁部をさらに含み、
前記周壁部は、前記一対の係合突起部および前記一対の係合溝部が係合した係合状態において、前記一対の係合突起部および前記一対の係合溝部の内側に位置する、検鏡プレート（但し、基板部及び蓋部からなり、前記基板部には試料を収容するための凹窩部が設けられ、前記蓋部はヒンジ部を介して前記基板部と一体的に設けられるとともに、前記凹窩部に被覆可能であり、前記蓋部には、当該蓋部を前記凹窩部に被覆した際に試料注入用の開口部となる切欠き部が設けられ、前記凹窩部の深さは、前記蓋部を前記凹窩部上に被覆した状態で、前記蓋部の下面と前記凹窩部の底面との間で毛細管現象が生じる深さであり、前記凹窩部の底面及び／又は前記蓋部の下面に、前記蓋部の下面と前記凹窩部の底面の間隔を保つためのスペーサーが設けられていることを特徴とする液状試料検査用プレパラートである場合を除く）。
【請求項２】
前記スペーサ部が、前記底面を規定する部分の前記スライドガラス部から前記カバーガラス部側に向けて突設された底面側突出部を含んでいる、請求項１に記載の検鏡プレート。
【請求項３】
前記スペーサ部が、前記天面を規定する部分の前記カバーガラス部から前記スライドガラス部側に向けて突設された天面側突出部を含んでいる、請求項１または２に記載の検鏡プレート。
【請求項４】
前記スペーサ部が、前記スライドガラス部と前記カバーガラス部とが対向配置された方向に沿って見た場合にスポット状の形状を有している、請求項１から３のいずれかに記載の検鏡プレート。
【請求項５】
前記スペーサ部の頂点部が、対向配置された前記スライドガラス部または前記カバーガラス部に接するように設けられている、請求項１から４のいずれかに記載の検鏡プレート。
【請求項６】
前記スライドガラス部と前記カバーガラス部との間の距離が０．０５ｍｍから０．２ｍｍである、請求項１から５のいずれかに記載の検鏡プレート。
【請求項７】
前記窓部が、前記スライドガラス部の開口部の短手方向の幅が、前記カバーガラス部の短手方向の幅よりも幅広に構成されていることにより、前記カバーガラス部が前記スライドガラス部に固定された状態において、前記カバーガラス部と前記スライドガラス部の開口部との間に形成される隙間である、請求項１から６のいずれかに記載の検鏡プレート。
【請求項８】
液体試料が、尿、血液、リンパ液、唾液、または胃液である、請求項１から７のいずれかに記載の検鏡プレート。
【請求項９】
前記スライドガラス部は、前記一対の係合溝部が並ぶ方向において前記一対の係合溝部の外側に位置する一対の端部を有し、
前記端部は、前記係合溝部に向かうにつれて高さが低くなるように傾斜し、前記係合突起部を前記係合溝部へ案内する傾斜部を有する、請求項１から８のいずれか１項に記載の検鏡プレート。
【請求項１０】
前記端部は、前記底面を規定する部分よりも高さが低くなるように設けられている、請求項９に記載の検鏡プレート。
【発明の詳細な説明】
【技術分野】
【０００１】
本発明は、検鏡プレートに関し、特に、顕微鏡を用いて液体試料を検査する際に使用され、液体試料を充填する液体試料貯留部を含む検鏡プレートに関する。
【背景技術】
【０００２】
従来、顕微鏡を用いて、尿残渣成分等の液体試料中に含有される血球類、上皮細胞類、円柱類、微生物類および結晶塩類等の有形成分を検査する際にあっては、スライドガラスに液体試料を滴下した後に、カバーガラスを液体試料に載置して顕微鏡観察を行なっていた。カバーガラスを液体試料に載置したのみでは、カバーガラスとスライドガラスとの間の距離が一定とならず、所定の観察視野内に収まる液体試料の量がばらつくことにより、計測される有形成分の個数がばらついてしまうことがあった。
【０００３】
そこで、所定の視野に収まる液体試料の量がばらつくことを抑制するために、所定の間隔を隔ててカバーガラスがスライドガラスに対して予め固定された検鏡プレートが各種開発されている。
【０００４】
このような検鏡プレートが開示された文献として、たとえば、特開２００２−３５０７３９号公報（特許文献１）、特開２００６−２０１３６７号公報（特許文献２）が挙げられる。
【０００５】
特許文献１に開示の検鏡プレートは、板状のスライドガラス部および当該スライドガラス部の一方の主表面に形成された凹部または凸部を含むスライドガラス（第２板状部）と、当該スライドガラス部に対向する板状のカバーガラス部および当該カバーガラス部の主面に形成された上記凹部または凸部に嵌合する凸部または凹部を含むカバーガラス（第１板状部）とを備え、スライドガラスの凹部または凸部にカバーガラスの凸部または凹部が嵌合することにより、スライドガラスに対してカバーガラスが一定の距離を隔てて固定されている。
【０００６】
特許文献２に開示の検鏡プレートは、貫通孔が設けられたカバーガラス（第１板状部）と、当該カバーガラスに対向して配置された板状のスライドガラス部、当該スライドガラス部の主表面に設けられ、当該カバーガラスを支持する支持部および当該貫通孔に対応する位置に設けられた凸部を含むスライドガラス（第２板状部）とを備える。凸部は、カバーガラスが支持部に支持された状態において、凸部の先端が貫通孔から外部に突出するように設けられている。カバーガラスが支持部に支持されるとともに凸部の先端がカバーガラスの外側の主面に固定されることにより、スライドガラスに対してカバーガラスが一定の距離を隔てて固定されている。
【０００７】
また、自動で有形成分を測定する有形成分分析装置に使用される多機能観察プレートの一部を構成する観察部において、上記検鏡プレートを含む部分が開示された文献とし、特許第４９１１１７２号公報（特許文献３）が挙げられる。
【０００８】
特許文献３に開示の観察部は、凹部が設けられた板状部と、透光性のシート部材によって構成される。透光性のシート部材は、凹部の一部が開口されるように凹部の周囲に位置する板状部に透光性のシート部材の周縁の一部を接着剤等によって接着されている。有形成分分析装置を用いて自動で有形成分の測定を行なう際には、カバーガラスに相当する透光性シートまたはスライドガラスに相当する板状部に対物レンズの焦点を自動で合わせた後、当該焦点位置から所定の距離だけ対物レンズを移動させて液体試料を観察する。
【先行技術文献】
【特許文献】
【０００９】
【特許文献１】特開２００２−３５０７３９号公報
【特許文献２】特開２００６−２０１３６７号公報
【特許文献３】特許第４９１１１７２号公報
【発明の概要】
【発明が解決しようとする課題】
【００１０】
スライドガラスとカバーガラスとが予め固定された一体型の検鏡プレートを使用して液体試料を検査する際には、毛細管現象を利用して、スライドガラスとカバーガラスとの間に形成される貯留部に液体試料を充填する。このため、検鏡プレートは、スライドガラスとカバーガラスとの間の距離が０．０５ｍｍから０．２０ｍｍ程度と狭くなるように構成される。
【００１１】
また、検鏡プレートは、安価で効率よく形成するためにガラス材料ではなく、透明な合成樹脂材料によって製造される場合が多い。合成樹脂材料は、ガラス材料と比較して熱膨張率が高く、また、剛性が低いため、合成樹脂材料を用いて検鏡プレートを製造した場合には、ガラスを用いて製造した場合と比較して、検鏡プレートが変形しやすくなる。特に使用時や保管時の環境によっては、外部から、加熱、加温等がなされたり、外力が負荷されたりすることにより、撓み変形が生じやすくなる。
【００１２】
検鏡プレートは、専らスライドガラスとカバーガラスとが近づく方向に撓み変形することが多く、このような撓み変形が生じると、スライドガラスとカバーガラスとの間に充填される液体試料の量が減少する。この結果、液体試料に含有される有形成分の出現率に差が生じ、測定結果がばらついてしまう。
【００１３】
さらに、有形成分分析装置を用いる場合には、スライドガラスまたはカバーガラスに対物レンズの焦点を合わせる合焦動作を行なう際に、検鏡プレートに撓み変形が生じていると焦点がずれてしまう。これにより、合焦動作の時間が掛かるという不都合も生じる。したがって、液体試料を安定して測定するために、撓み変形を抑制するための手立てが要求される。
【００１４】
ここで、特許文献１に開示の検鏡プレートあっては、たとえばスライドガラスに設けられた凸部によってスライドガラスに対してカバーガラスが一定の距離を隔てて固定されている。当該凸部は、カバーガラスまたはスライドガラスの長手方向または短手方向に沿って相当程度の距離を隔てて設けられているため、検鏡プレートは、凸部の間に位置する中央部において、カバーガラスとスライドガラスが互いに近付く方向に撓み変形しやすくなる。
【００１５】
特許文献２に開示の検鏡プレートにあっては、貫通孔がカバーガラスの４隅に設けられているため、これに挿入されてカバーガラスを支持する凸部もカバーガラスの長手方向または短手方向に沿って相当程度の距離を隔てて配置される。凸部とは別途設けられた支持部は、凸部の外側に配置されている。このため、カバーガラスは、凸部の内側に位置する中央部において、スライドガラスに近づく方向に撓み変形しやすくなる。
【００１６】
特許文献３に開示の観察部にあっては、シート部材の周縁の一部が板状部に固定されるため、シート部材の中央部が板状部材に近づくように撓み変形しやすくなる。
【００１７】
このように、特許文献１から特許文献３に開示の検鏡プレートおよびこれに相当する観察部においては、撓み変形を抑制することができず、液体試料を安定して測定することが困難となる。
【００１８】
本発明は、上記のような問題に鑑みてなされたものであり、本発明の目的は、液体試料を安定して測定することができる検鏡プレートを提供することにある。
【課題を解決するための手段】
【００１９】
本発明に基づく検鏡プレートは、顕微鏡を用いた液体試料の検査に使用され、液体試料を充填するための貯留部を内部に含む検鏡プレートであって、上記貯留部の底面を規定する部分を含むスライドガラス部と、上記スライドガラス部に対向配置され、上記貯留部の天面を規定する部分を含むカバーガラス部と、上記貯留部の周囲の少なくとも一部に位置し、上記スライドガラス部と上記カバーガラス部とが対向配置された状態を維持する支持部と、上記貯留部に液体試料を供給するための窓部と、上記貯留部の内部に位置し、上記スライドガラス部および上記カバーガラス部の少なくとも一方が撓み変形することで上記底面を規定する部分の上記スライドガラス部と上記天面を規定する部分の上記カバーガラス部との間の距離が減少することを抑制するスペーサ部とを備える。上記スペーサ部が、上記貯留部の内部において互いに離間して複数本（但し、３本以下である場合を除く）設けられている。上記支持部が、上記カバーガラス部が上記スライドガラス部に対向配置された状態において上記貯留部が間に位置するように互いに離間し、かつ、上記スライドガラス部に向けて突出するように上記カバーガラス部に設けられた一対の係合突起部を含む。上記スライドガラス部は、上記一対の係合突起部に係合可能に設けられた一対の係合溝部を含む。上記カバーガラス部は、上記一対の係合突起部が上記一対の係合溝部に係合することにより、上記スライドガラス部に固定される。上記支持部は、上記貯留部の周囲を取り囲む周壁部をさらに含む。上記周壁部は、上記一対の係合突起部および上記一対の係合溝部が係合した係合状態において、上記一対の係合突起部および上記一対の係合溝部の内側に位置する。但し、上記本発明に基づく検鏡プレートは、基板部及び蓋部からなり、上記基板部には試料を収容するための凹窩部が設けられ、上記蓋部はヒンジ部を介して基板部と一体的に設けられるとともに、上記凹窩部に被覆可能であり、上記蓋部には、当該蓋部を上記凹窩部に被覆した際に試料注入用の開口部となる切欠き部が設けられ、上記凹窩部の深さは、上記蓋部を上記凹窩部上に被覆した状態で、蓋部の下面と凹窩部の底面との間で毛細管現象が生じる深さであり、凹窩部の底面及び／又は蓋部の下面に、蓋部下面と凹窩部底面の間隔を保つためのスペーサーが設けられていることを特徴とする液状試料検査用プレパラートである場合を除く。
【００２０】
なお、スライドガラス部およびカバーガラス部は、顕微鏡観察を行なう際に液体試料を挟み込んで保持するとともに、液体試料を観察可能とするために透光性を有するものである。また、スライドガラス部およびカバーガラス部は、透光性を有する限り、ガラスに限定されず、透明な合成樹脂によって構成されるものも含む。
【００２１】
上記本発明に基づく検鏡プレートにあっては、上記スペーサ部が、上記底面を規定する部分の上記スライドガラス部から上記カバーガラス部側に向けて突設された底面側突出部を含んでいることが好ましい。
【００２２】
上記本発明に基づく検鏡プレートにあっては、上記スペーサ部が、上記天面を規定する部分の上記カバーガラス部から上記スライドガラス部側に向けて突設された天面側突出部を含んでいることが好ましい。
【００２３】
上記本発明に基づく検鏡プレートにあっては、上記スペーサ部が、上記スライドガラス部と上記カバーガラス部とが対向配置された方向に沿って見た場合にスポット状の形状を有していることが好ましい。
【００２４】
上記本発明に基づく検鏡プレートにあっては、上記スペーサ部の頂点部が、対向配置された上記スライドガラス部または上記カバーガラス部に接するように設けられていることが好ましい。
上記本発明に基づく検鏡プレートにあっては、上記スライドガラス部と上記カバーガラス部との間の距離が０．０５ｍｍ以上０．２ｍｍ以下であってもよい。
上記本発明に基づく検鏡プレートにあっては、上記窓部が、上記スライドガラス部の開口部の短手方向の幅が、上記カバーガラス部の短手方向の幅よりも幅広に構成されていることにより、上記カバーガラス部が上記スライドガラス部に固定された状態において、上記カバーガラス部と上記スライドガラス部の開口部との間に形成される隙間であることが好ましい。
上記本発明に基づく検鏡プレートにあっては、液体試料が、尿、血液、リンパ液、唾液、または胃液であることが好ましい。
上記本発明に基づく検鏡プレートにあっては、上記スライドガラス部は、上記一対の係合溝部が並ぶ方向において上記一対の係合溝部の外側に位置する一対の端部を有していてもよい。この場合には、上記端部は、上記係合溝部に向かうにつれて高さが低くなるように傾斜し、上記係合突起部を上記係合溝部に案内する傾斜部を有していてもよい。
上記本発明に基づく検鏡プレートにあっては、上記端部は、上記底面を規定する部分よりも高さが低くなるように設けられていてもよい。
【図面の簡単な説明】
【００２５】
【図１】本発明の実施の形態１に係る検鏡プレートの平面図である。
【図２】図１に示すＩＩ−ＩＩ線に沿った概略断面図である。
【図３】図２に示す第１板状部の底面図である。
【図４】図２に示す第２板状部の平面図である。
【図５】図１に示す検鏡プレートの組み立て前の状態を示す概略断面図である。
【図６】本発明の実施の形態２に係る検鏡プレートを示す概略断面図である。
【図７】本発明の実施の形態３に係る検鏡プレートを示す概略断面図である。
【発明を実施するための形態】
【００２６】
以下、本発明の実施の形態について、図を参照して詳細に説明する。なお、以下に示す実施の形態においては、同一のまたは共通する部分について図中同一の符号を付し、その説明は繰り返さない。
【００２７】
（実施の形態１）
図１は、本発明の実施の形態１に係る検鏡プレートの平面図である。図２は、図１に示すＩＩ−ＩＩ線に沿った概略断面図である。図３は、図２に示す第１板状部の底面図である。図４は、図２に示す第２板状部の平面図である。図１から図４を参照して、本実施の形態に係る検鏡プレート１について説明する。
【００２８】
本実施の形態に係る検鏡プレート１は、顕微鏡を用いた液体試料の検査に使用されるものであり、具体的には、液体試料に含有される有形成分を観察する際に用いられる。ここで、液体試料としては、唾液、胃液等を含む消化液や、血液、リンパ液等の体液や、尿等といった生体から取得される生体試料が挙げられる。特に、液体試料は、尿沈査であることが好ましい。
【００２９】
図１および図２に示すように、検鏡プレート１は、第１板状部１０と第２板状部２０と、貯留部Ｒと、窓部２９とを備える。検鏡プレート１は、第１板状部１０と第２板状部２０とが対向配置された状態で固定されることによって構成されている。
【００３０】
貯留部Ｒは、第１板状部１０と第２板状部２０とが対向配置されることにより、後述するカバーガラス部１１の主表面１１ａとスライドガラス部２１の中央部２６の主面２６ａとの間に形成される空間である。窓部２９は、後述する第２板状部２０の開口部Ａの一部が第１板状部１０に覆われないことにより形成される、第１板状部１０と開口部Ａとの隙間である。
【００３１】
第１板状部１０および第２板状部２０を構成する材料としては、たとえばガラス材料、透明な合成樹脂材料等を採用することができる。透明な合成樹脂材料としては、たとえば、ポリカーボネート、ポリプロピレン、ＰＭＭＡ（ポリメチルメタクリレート）等のアクリル系樹脂やポリスチレン等を採用することができる。なお、第１板状部１０および第２板状部２０は、異なる材料で設けられてもよい。
【００３２】
なお、図１については、第１板状部１０および第２板状部２０が透明であることより、後述するスペーサ部１５が見えるものとして破線で図示しているが、その他の詳細な構成については省略している。
【００３３】
図１および図３に示すように、第１板状部１０は、カバーガラス部１１と、係合突起部１２と、スペーサ部１５とを含む。第１板状部１０は、平面視略矩形形状を有し、長手方向と短手方向を有する。カバーガラス部１１は、平板形状を有し、後述するスライドガラス部２１に対向する主表面１１ａを有する。カバーガラス部１１の主表面１１ａは、貯留部Ｒの天面Ｕ１を規定する部分を含む。カバーガラス部１１の主表面１１ａは、平坦であることが好ましい。
【００３４】
係合突起部１２は、後述する第２板状部２０の係合溝部２２に係合する部位である。係合突起部１２が係合溝部２２に係合することで第１板状部１０が第２板状部２０に固定される。係合突起部１２は、カバーガラス部１１の主表面１１ａから後述するスライドガラス部２１に向けて突出するように設けられている。係合突起部１２は、たとえば一対設けられており、一対の係合突起部１２は、その間にスペーサ部１５が位置するように設けられている。係合突起部１２は、たとえば短手方向に沿って延在するように設けられている。
【００３５】
係合突起部１２は、支持壁部１３と、ロック部１４とを含む。支持壁部１３は、カバーガラス部１１の主表面１１ａの法線方向に沿って立設され、略直方体形状を有する。ロック部１４は、支持壁部１３の先端部から第１板状部１０の長手方向に向けて突出する凸部である。ロック部１４は、後述するロック溝部２４に嵌り合うことで、第１板状部１０が第２板状部２０から外れることを防止する。ロック部１４は、複数設けられており、互いに短手方向に沿って離間して配置されている。なお、ロック部１４は、カバーガラス部１１の短手方向の一端側から他端側に亘って設けられていてもよい。
【００３６】
スペーサ部１５は、貯留部Ｒ内に位置するようにカバーガラス部１１の主表面１１ａ上に設けられている。スペーサ部１５は、天面Ｕ１を規定する部分のカバーガラス部１１からスライドガラス部２１側に向けて突設されている。スペーサ部１５は、天面側突出部に相当する。
【００３７】
スペーサ部１５は、貯留部Ｒの内部において互いに離間して複数設けられている。たとえば、複数のスペーサ部１５は、格子状に配置される。また、スペーサ部１５の頂点部１５ａは、スライドガラス部２１の中央部２６の主面２６ａに接するように設けられることが好ましい。これにより、スペーサ部１５は、カバーガラス部１１またはスライドガラス部２１のたわみ変形をより確実に抑制することができる。
【００３８】
スペーサ部１５の形状は、円柱状、多角柱状、円錐台形状、半球状等適宜選択することができる。貯留部Ｒに貯留される液量が減少することを抑制するために、スペーサ部１５は、スライドガラス部２１とカバーガラス部１１とが対向配置された方向に沿って見た場合にスポット状の形状を有していることが好ましい。
【００３９】
図１、図２および図４に示すように、第２板状部２０は、スライドガラス部２１と、支持部としての周壁部２７とを有する。第２板状部２０は、平面視略矩形形状を有し、長手方向と短手方向を有する。第２板状部２０の長手方向は、第１板状部１０の長手方向と平行であり、第２板状部２０の短手方向は第１板状部１０の短手方向と平行である。
【００４０】
スライドガラス部２１は、係合溝部２２、第２板状部２０の長手方向の両端に位置する端部２５、中央部２６、および開口部Ａを含む。
【００４１】
係合溝部２２は、第１板状部１０の係合突起部１２に係合する部位である。係合溝部２２は、係合突起部１２に対応する位置に設けられており、一対設けられている。係合溝部２２は、端部２５と中央部２６の間に設けられている。係合溝部２２は、支持壁部１３が嵌り込む溝部２３と、ロック部１４が嵌り込むロック溝部２４とを有する。
【００４２】
中央部２６は、スライドガラス部２１の主表面１１ａに対向する主面２６ａを有する。中央部２６の主面２６ａは、貯留部Ｒの底面Ｂ１を規定する部分を含む。中央部２６の主面２６ａは、平坦であることが好ましい。
【００４３】
端部２５は、係合溝部２２の外側に位置する。端部２５は、係合溝部２２に向かうにつれて高さが低くなるように傾斜する傾斜部２５ａを有する。傾斜部２５ａは、係合突起部１２を係合溝部２２に嵌め込む際に、係合突起部１２の移動を案内する。端部２５は、中央部２６よりも高さが低くなるように設けられていることが好ましいが、中央部２６と同一の高さであってもよい。
【００４４】
周壁部２７は、中央部２６の主面２６ａからカバーガラス部１１に向けて突出する部位である。周壁部２７は、枠形状を有し、中央部２６の主面２６ａを取り囲むように設けられている。周壁部２７は、係合突起部１２の内側に配置されるように設けられている。周壁部２７は、カバーガラス部１１の主表面１１ａに接触して、係合突起部１２の内側からカバーガラス部１１を支持する。
【００４５】
開口部Ａは、中央部２６の主面２６ａおよび周壁部２７の周面２７ａによって規定され、カバーガラス部１１側に向けて開口する部位である。短手方向の開口部Ａの幅Ｗ２（図４参照）は、短手方向の第１板状部１０の幅Ｗ１（図３参照）よりも幅広に構成されている。これにより、第１板状部１０が第２板状部２０に固定された状態において、第１板状部１０と開口部Ａとの間に隙間（窓部２９）が形成される。窓部２９は、貯留部Ｒと連通しており、検査時においては、窓部２９から液体試料が供給されることにより、毛細管現象によって液体試料が貯留部Ｒに充填される。
【００４６】
本実施の形態に係る検鏡プレート１においては、貯留部Ｒ内にスペーサ部１５が設けられている。このため、たとえば、有形成分分析装置を用いて測定する際に外部から加熱された場合や、使用前および使用中に外部から外力が負荷された場合であっても、カバーガラス部１１およびスライドガラス部２１の少なくとも一方が撓み変形することで貯留部Ｒの底面Ｂ１を規定する部分のスライドガラス部２１と貯留部Ｒの天面Ｕ１を規定する部分のカバーガラス部１１との間の距離が減少することが抑制される。
【００４７】
これにより、貯留部Ｒの容量が変化することが抑制され、貯留部Ｒに充填される液体試料の量が減少することが抑制される。充填される液体試料の量が安定することで、液体試料に含有される有形成分の出現率に差が生じることが抑制される。この結果、測定結果のばらつきが抑制され、液体試料を安定して測定することができる。
【００４８】
なお、周壁部２７がスライドガラス部２１における中央部２６の主面２６ａを取り囲むように設けられることにより、検査時に液体試料が係合溝部２２に入り込むことを防止することができる。これにより、検査時に液体試料の量が変動することをさらに抑制することもできる。一方、液体試料が係合溝部２２に到達しないように貯留部Ｒに充填される限り、周壁部２７は必ずしも枠形状を有する必要はなく、貯留部Ｒの周囲の一部に設けられていてもよい。
【００４９】
図５は、図１に示す検鏡プレートの組み立て前の状態を示す概略断面図である。図５を参照して、検鏡プレート１の組み立て方法について説明する。
【００５０】
図５に示すように、検鏡プレート１を組み立てる際には、まず、上記の構成を有する第１板状部１０と第２板状部２０とを準備し、第１板状部１０の係合突起部１２と第２板状部２０の係合溝部２２とが対向するように、第１板状部１０と第２板状部２０とを位置合わせする。続いて、第１板状部１０を矢印方向に移動させ、係合突起部１２を係合溝部２２に嵌め込む。これにより、第１板状部１０が第２板状部２０に固定され、検鏡プレート１が構成される。
【００５１】
（実施の形態２）
図６は、本実施の形態に係る検鏡プレートを示す概略断面図である。図６を参照して、本実施の形態に係る検鏡プレート１Ａについて説明する。
【００５２】
図６に示すように、本実施の形態に係る検鏡プレート１Ａは、実施の形態１に係る検鏡プレート１と比較して、第１板状部１０Ａ側ではなく、第２板状部２０Ａ側にスペーサ部２８が設けられている点において相違し、その他の構成はほぼ同様である。
【００５３】
第１板状部１０Ａは、カバーガラス部１１と、係合突起部１２とを含み、係合突起部１２が第２板状部２０Ａの係合溝部２２に係合することにより、第２板状部２０Ａに固定されている。
【００５４】
第２板状部２０Ａは、スライドガラス部２１と、周壁部２７と、スペーサ部２８とを有する。スペーサ部２８は、貯留部Ｒ内に位置するようにスライドガラス部２１の中央部２６の主面２６ａ上に設けられている。スペーサ部２８は、貯留部Ｒの底面Ｂ１を規定する部分のスライドガラス部２１からカバーガラス部１１側に向けて突設されている。スペーサ部２８は、底面側突出部に相当する。スペーサ部２８の頂点部２８ａは、カバーガラス部１１の主表面１１ａに接するように設けられることが好ましい。
【００５５】
本実施の形態にあっても、スペーサ部２８は、スライドガラス部２１およびカバーガラス部１１の少なくとも一方が撓み変形することで貯留部Ｒの底面Ｂ１を規定する部分のスライドガラス部２１と天面Ｕ１を規定する部分のカバーガラス部１１との間の距離が減少することを抑制する。
【００５６】
この結果、実施の形態２に係る検鏡プレート１Ａにおいても、貯留部Ｒの容量が変化することが抑制されることとなり、実施の形態１とほぼ同様の効果が得られる。
【００５７】
（実施の形態３）
図７は、本実施の形態に係る検鏡プレートを示す概略断面図である。図７を参照して、本実施の形態に係る検鏡プレート１Ｂについて説明する。
【００５８】
図７に示すように、本実施の形態に係る検鏡プレート１Ｂは、実施の形態１に係る検鏡プレート１と比較した場合に、第１板状部１０Ｂと第２板状部２０Ｂの両方にスペーサ部が設けられている点において相違し、その他の構成はほぼ同様である。
【００５９】
第１板状部１０Ｂは、カバーガラス部１１と、係合突起部１２と、スペーサ部１５を含み、係合突起部１２が第２板状部２０Ａの係合溝部２２に係合することにより、第２板状部２０Ｂに固定されている。
【００６０】
第２板状部２０Ｂは、スライドガラス部２１と、周壁部２７と、スペーサ部２８とを有する。スペーサ部２８は、スライドガラス部２１の中央部２６の主面２６ａ上に設けられている。
【００６１】
スペーサ部１５およびスペーサ部２８は、たとえば、貯留部Ｒ内において交互に並ぶように設けられている。なお、スペーサ部１５およびスペーサ部２８は、上記のような配置に限定されず、適宜変更することができる。
【００６２】
本実施の形態にあっても、スペーサ部１５およびスペーサ部２８は、スライドガラス部２１およびカバーガラス部１１の少なくとも一方が撓み変形することで貯留部Ｒの底面Ｂ１を規定する部分のスライドガラス部２１と天面Ｕ１を規定する部分のカバーガラス部１１との間の距離が減少することを抑制する。
【００６３】
この結果、実施の形態３に係る検鏡プレート１Ｂにおいても、貯留部Ｒの容量が変化することが抑制されることとなり、実施の形態１とほぼ同様の効果が得られる。
【００６４】
また、本実施の形態においては、スペーサ部１５およびスペーサ部２８が異なる位置に設けられる場合を例示して説明したが、これに限定されず、それぞれ対応する位置に設けられていてもよい。この場合には、互いに対向した状態でそれぞれの頂点部同士が向かい合って接触することで、カバーガラス部１１の主表面１１ａとスライドガラス部２１の中央部２６の主面２６ａとの間の距離と等しくなるようなスペーサ部が形成される。
【００６５】
上述した実施の形態１から３においては、第１板状部１０および第２板状部２０の全てが透光性を有するガラス材料または合成樹脂材料で構成される場合を例示して説明したが、これに限定されず、少なくとも第１板状部１０および第２板状部２０のうち貯留部Ｒを構成する部分が透光性を有する上記の材料で構成されていればよい。
【００６６】
上述した実施の形態に１から３においては、周壁部２７がカバーガラス部１１の主表面１１ａに接触するように設けられる場合を例示して説明したが、これに限定されず、周壁部２７が主表面１１ａに接触しないように設けられてもよいし、周壁部２７が設けられていなくてもよい。この場合には、貯留部Ｒの周囲の一部に配置されている支持壁部１３がスライドガラス部２１とカバーガラス部１１とが対向配置された状態を維持する支持部として機能する。
【００６７】
上述した実施の形態１から３においては、スペーサ部１５，２８が、スライドガラス部２１の中央部２６の主面２６ａまたはカバーガラス部１１の主表面１１ａに接する場合を例示して説明したが、これに限定されず、貯留部Ｒにおいてスライドガラス部２１およびカバーガラス部１１の少なくとも一方が、スライドガラス部２１およびカバーガラス部１１とが互いに近付く方向に撓み変形することを抑制することができる限り、スライドガラス部２１の中央部２６の主面２６ａまたはカバーガラス部１１の主表面１１ａに接しなくてもよい。
【００６８】
なお、上述した実施の形態１から３においては、スペーサ部１５またはスペーサ部２８が複数設けられる場合を例示して説明したが、これに限定されず、単数であってもよい。また、スペーサ部１５またはスペーサ部２８は、使用時における顕微鏡の観察領域内に設けられていてもよい。
【００６９】
以上、本発明の実施の形態について説明したが、今回開示された実施の形態はすべての点で例示であって制限的なものではない。本発明の範囲は特許請求の範囲によって示され、特許請求の範囲と均等の意味および範囲内でのすべての変更が含まれる。
【符号の説明】
【００７０】
１，１Ａ，１Ｂ  検鏡プレート、１０，１０Ａ，１０Ｂ  第１板状部、１１  カバーガラス部、１１ａ  主表面、１２  係合突起部、１３  支持壁部、１４  ロック部、１５  スペーサ部、１５ａ  頂点部、２０，２０Ａ，２０Ｂ  第２板状部、２１  スライドガラス部、２２  係合溝部、２３  溝部、２４  ロック溝部、２５  端部、２５ａ  傾斜部、２６  中央部、２７  周壁部、２７ａ  周面、２８  スペーサ部、２８ａ  頂点部、２９  窓部、Ａ  開口部、Ｂ１  底面、Ｒ  貯留部、Ｕ１  天面。
【図１】
2018185525.tif 000003
【図２】
2018185525.tif 000004
【図３】
2018185525.tif 000005
【図４】
2018185525.tif 000006
【図５】
2018185525.tif 000007
【図６】
2018185525.tif 000008
【図７】
2018185525.tif 000009